(57)【要約】【課題】  使用しないときに楽器全体をコンパクトにし、省スペース化が図れる鍵盤楽器を提供する。【解決手段】  複数の鍵が配列された鍵盤ケース１と、この鍵盤ケース１の左右の端部側にそれぞれ連結される第１、第２連結部１１、１２を有して鍵盤ケース１を支持する第１、第２スタンド部材２、３と、鍵盤ケース１の背面１ａに設けられて第１、第２スタンド部材２、３の第１、第２連結部１１、１２を鍵盤ケース１の両側の端部側から中央部分に向けてガイドすることにより、鍵盤ケース１を傾けるように回転させる第１、第２ガイド溝部５、６とを備えた。従って、使用するときに第１、第２スタンド部材２、３で鍵盤ケース１の両側を支持でき、使用しないときに第１、第２スタンド部材２、３を接近させて鍵盤ケース１を起立させることができる。これにより、楽器全体がコンパクトになり、設置スペースの省スペース化が図れる。【選択図】        図４
2008242115.tif 000002
【特許請求の範囲】
【請求項１】
複数の鍵が配列された鍵盤ケースと、
この鍵盤ケースの一端部側に連結される第１連結部を有して前記鍵盤ケースを支持する第１スタンド部材と、
前記鍵盤ケースの他端部側に連結される第２連結部を有して前記鍵盤ケースを支持する第２スタンド部材と、
前記鍵盤ケースに設けられて前記第１スタンド部材の前記第１連結部を前記鍵盤ケースの前記一端部から中央部分に向けてガイドすることにより、前記鍵盤ケースの前記一端部側を押し上げる方向に前記鍵盤ケースを回転させる第１ガイド溝部と、
前記鍵盤ケースに設けられて前記第２スタンド部材の前記第２連結部を前記鍵盤ケースの前記他端部から中央部分に向けてガイドすることにより、前記鍵盤ケースの前記他端部側を押し下げる方向に前記鍵盤ケースを回転させる第２ガイド溝部と
を備えたことを特徴とする鍵盤楽器。
【請求項２】
前記第１ガイド溝部と前記第２ガイド溝部とは、前記鍵盤ケースの背面のみに設けられていることを特徴とする請求項１に記載の鍵盤楽器。
【請求項３】
前記第１スタンド部材の前記第１連結部は、その高さが前記第２スタンド部材の前記第２連結部よりも高い位置に配置されており、
前記第１ガイド溝部は、前記鍵盤ケースの前記背面における前記一端部から中央部分付近に亘って前記鍵盤ケースの上辺側に設けられた直線溝と、この直線溝に連続して中央部分付近から斜め下方に傾斜して設けられた傾斜溝とを有しており、
前記第２ガイド溝部は、前記鍵盤ケースの前記背面における前記他端部から中央部分付近に亘って前記鍵盤ケースの下辺側に前記第１、第２連結部の高低差だけ前記第１ガイド溝部の前記直線溝から離れて設けられた直線溝と、この直線溝に連続して中央部分付近から斜め上方に傾斜して設けられた傾斜溝とを有していることを特徴とする請求項２に記載の鍵盤楽器。
【請求項４】
前記第１ガイド溝部の前記傾斜溝と前記第２ガイド溝部の前記傾斜溝との互いに接近する端部間の長さは、前記第１スタンド部材の前記第１連結部と前記第２スタンド部材の前記第２連結部との高低差とほぼ同じ長さに設定されていることを特徴とする請求項３に記載の鍵盤楽器。
【発明の詳細な説明】
【技術分野】
【０００１】
この発明は、電子ピアノや電子オルガンなどの鍵盤楽器に関する。
【背景技術】
【０００２】
従来、電子ピアノなどの鍵盤楽器においては、特許文献１に記載されているように、複数の鍵が配列された鍵盤ケースと、この鍵盤ケースの両側を支える一対の支持側板とを備え、鍵盤ケースの両側面に回転軸とガイド突起とをそれぞれ設け、一対の支持側板の互いに対向する各内面上部に鍵盤ケースの回転軸が回転自在に嵌合する軸受け穴と鍵盤ケースのガイド突起をガイドするガイド溝とをそれぞれ設け、回転軸を中心として鍵盤ケースを回転させると、鍵盤ケースのガイド突起が支持側板のガイド溝によってガイドされ、これにより鍵盤ケースを使用可能な水平状態と使用しない垂直状態とになるように構成したものがある。
【特許文献１】実開平０４−１２４２９３号
【０００３】
すなわち、この種の鍵盤楽器は、使用するときに回転軸を中心として鍵盤ケースを回転させて、鍵盤ケースのガイド突起を支持側板のガイド溝に沿って斜め上方にガイドすることにより、鍵盤ケースを一対の支持側板間における上部に水平な状態で配置させることができ、また使用しないときに回転軸を中心として鍵盤ケースを回転させて、鍵盤ケースのガイド突起を支持側板のガイド溝に沿って斜め下方にガイドすることにより、鍵盤ケースを一対の支持側板間における上部奥側に垂直な状態で配置させることができるように構成されている。
【発明の開示】
【発明が解決しようとする課題】
【０００４】
しかしながら、このような従来の鍵盤楽器では、使用しないときに回転軸を中心に鍵盤ケースを回転させて、鍵盤ケースを一対の支持側板間における上部奥側に垂直な状態で配置させるだけ、一対の支持側板を互いに接近させることができないため、楽器全体を十分にコンパクトにすることができず、楽器を設置するための設置スペースの省スペース化を図ることできないという問題がある。
【０００５】
この発明が解決しようとする課題は、使用しないときに楽器全体を十分にコンパクトにして、設置スペースの省スペース化を図ることができる鍵盤楽器を提供することである。
【課題を解決するための手段】
【０００６】
この発明は、上記課題を解決するために、次のような構成要素を備えている。
請求項１に記載の発明は、複数の鍵が配列された鍵盤ケースと、この鍵盤ケースの一端部側に連結される第１連結部を有して前記鍵盤ケースを支持する第１スタンド部材と、前記鍵盤ケースの他端部側に連結される第２連結部を有して前記鍵盤ケースを支持する第２スタンド部材と、前記鍵盤ケースに設けられて前記第１スタンド部材の前記第１連結部を前記鍵盤ケースの前記一端部から中央部分に向けてガイドすることにより、前記鍵盤ケースの前記一端部側を押し上げる方向に前記鍵盤ケースを回転させる第１ガイド溝部と、前記鍵盤ケースに設けられて前記第２スタンド部材の前記第２連結部を前記鍵盤ケースの前記他端部から中央部分に向けてガイドすることにより、前記鍵盤ケースの前記他端部側を押し下げる方向に前記鍵盤ケースを回転させる第２ガイド溝部とを備えたことを特徴とする鍵盤楽器。
【０００７】
請求項２に記載の発明は、前記第１ガイド溝部と前記第２ガイド溝部とが、前記鍵盤ケースの背面のみに設けられていることを特徴とする請求項１に記載の鍵盤楽器である。
【０００８】
請求項３に記載の発明は、前記第１スタンド部材の前記第１連結部は、その高さが前記第２スタンド部材の前記第２連結部よりも高い位置に配置されており、前記第１ガイド溝部は、前記鍵盤ケースの前記背面における前記一端部から中央部分付近に亘って前記鍵盤ケースの上辺側に設けられた直線溝と、この直線溝に連続して中央部分付近から斜め下方に傾斜して設けられた傾斜溝とを有しており、前記第２ガイド溝部は、前記鍵盤ケースの前記背面における前記他端部から中央部分付近に亘って前記鍵盤ケースの下辺側に前記第１、第２連結部の高低差だけ前記第１ガイド溝部の前記直線溝から離れて設けられた直線溝と、この直線溝に連続して中央部分付近から斜め上方に傾斜して設けられた傾斜溝とを有していることを特徴とする請求項２に記載の鍵盤楽器である。
【０００９】
請求項４に記載の発明は、前記第１ガイド溝部の前記傾斜溝と前記第２ガイド溝部の前記傾斜溝との互いに接近する端部間の長さが、前記第１スタンド部材の前記第１連結部と前記第２スタンド部材の前記第２連結部との高低差とほぼ同じ長さに設定されていることを特徴とする請求項３に記載の鍵盤楽器である。
【発明の効果】
【００１０】
この発明によれば、第１スタンド部材と第２スタンド部材とを互いに離れる方向に移動させると、第１スタンド部材の第１連結部が第１ガイド溝部にガイドされて鍵盤ケースの一端側に移動し、第２スタンド部材の第２連結部が第２ガイド溝部にガイドされて鍵盤ケースの他端側に移動し、この状態で第１、第２スタンド部材で鍵盤ケースの両側を支持することができるので、鍵盤ケースを安定した状態で支持することができ、これにより良好に演奏をすることができる。
【００１１】
また、第１スタンド部材と第２スタンド部材とを互いに接近する方向に移動させると、第１スタンド部材の第１連結部が第１ガイド溝部にガイドされて鍵盤ケースの中央部分に移動し、これにより鍵盤ケースがその一端側を押し上げる方向に回転すると共に、第２スタンド部材の第２連結部が第２ガイド溝部にガイドされて鍵盤ケースの中央部分に移動し、これにより鍵盤ケースがその他端側を押し下げる方向に回転するので、鍵盤ケースを上下方向に回転させて起立させることができる。これにより、使用しないときに楽器全体を十分にコンパクトにすることができ、楽器を設置するための設置スペースの大幅な省スペース化を図ることができる。
【発明を実施するための最良の形態】
【００１２】
以下、図１〜図１０を参照して、この発明を適用した鍵盤楽器の一実施形態について説明する。
この鍵盤楽器は、図１〜図７に示すように、鍵盤ケース１と、この鍵盤ケース１を支持する第１、第２スタンド部材２、３とを備えている。鍵盤ケース１は、図１〜図３に示すように、横方向に長い箱形状に形成され、その内部に白鍵および黒鍵などの鍵４が多数配列された構成になっている。この場合、多数の鍵４は、その前部側（図２では手前側）における上面および前面が外部に露出し、この露出した部分が押鍵操作されるように構成されている。
【００１３】
また、この鍵盤ケース１内には、鍵４の押鍵操作に基づいて楽音を発生させるために必要な各種の電子部品（図示せず）が設けられている。そして、この鍵盤ケース１の背面１ａ（図２では上辺側の側面）には、図４〜図７に示すように、第１スタンド部材２をガイドする第１ガイド溝部５と、第２スタンド部材３をガイドする第２ガイド溝部６とが、鍵盤ケース１の長手方向に沿って設けられている。
【００１４】
第１、第２スタンド部材２、３は、図１〜図４に示すように、それぞれ台座部７と支持アーム部８とを備え、鍵盤ケース１が水平な状態において第１スタンド部材２が鍵盤ケース１の左側（図１、図２では右側）を支持し、第２スタンド部材３が鍵盤ケース１の右側（図１、図２では左側）を支持するように構成されている。すなわち、台座部７は、図１〜図４に示すように、鍵盤ケース１の背面１ａ側（図２では上辺側）に対応する後脚部７ａと、鍵盤ケース１の前面１ｂ側（図２では下辺側）に対応する前脚部７ｂと、後脚部７ａと前脚部７ｂとを連結する連結脚部７ｃとからなり、全体が上方から見てほぼエ形状に形成されている。
【００１５】
この場合、第１スタンド部材２の台座部７と第２スタンド部材３の台座部７とは、図７に示すように、互いに接近したときに相互に接触しないように、図２に示すように、鍵盤ケース１の前後方向（図２では上下方向）に位置がずれて設けられている。また、第１、第２スタンド部材２、３の各後脚部７ａと前脚部７ｂとの各下面には、それぞれ複数のキャスタ１０が取り付けられている。また、各支持アーム部８は、図１〜図４に示すように、各台座部７の各後脚部７ａの中間部に垂直に起立して設けられ、その各上部がそれぞれ互いに接近する方向に向けて斜め上方に傾斜する傾斜部８ａに形成されている。
【００１６】
この各傾斜部８ａの各上端部は、図３および図４に示すように、鍵盤ケース１の背面１ａに対面しており、この対面した各上端部には、鍵盤ケース１の背面１ａに設けられた第１、第２ガイド溝部５、６に沿って移動する第１、第２連結部１１、１２がそれぞれ設けられている。この場合、第１スタンド部材２の支持アーム部８は、図２に示すように、台座部７の後脚部７ａの後面に固定されており、第２スタンド部材３の支持アーム部８は、台座部７の後脚部７ａの上面に固定されている。これにより、第１、第２スタンド部材２、３の各支持アーム部８は、図２に示すように、第１、第２スタンド部材２、３の各台座部７が前後に位置がずれていても、鍵盤ケース１の前後方向における位置が同じになるように、各台座部７にそれぞれ設けられている。
【００１７】
このため、第１、第２スタンド部材２、３は、図１〜図４に示すように、各支持アーム部８の各傾斜部８ａにおける各上端部に設けられた第１、第２連結部１１、１２が、鍵盤ケース１の背面１ａに設けられた第１、第２ガイド溝部５、６に移動可能に連結され、これにより鍵盤ケース１を支持するように構成されている。この場合、各支持アーム部８は、その各傾斜部８ａの各上端部が各後脚部７ａの互いに接近する端部のほぼ真上に位置している。これにより、各支持アーム部８は、各後脚部７ａが互いに接近して第１、第２連結部１１、１２が鍵盤ケース１の中央部分に移動したときに、図５〜図７に示すように、第１、第２連結部１１、１２が最も接近するように構成されている。
【００１８】
ところで、第１、第２スタンド部材２、３は、図４に示すように、第１、第２連結部１１、１２の高さが異なっている。すなわち、第１スタンド部材２の第１連結部１１は、その高さが第２スタンド部材３の第２連結部１２よりも、所定間隔Ｓ２（図７参照）だけ、高い位置に配置されている。これに伴って、鍵盤ケース１の背面１ａに設けられた第１、第２ガイド溝部５、６も、図４に示すように、互いに高さが所定間隔Ｓ１だけ上下に異なる位置に設けられている。
【００１９】
すなわち、第１ガイド溝部５は、図４に示すように、鍵盤ケース１の背面１ａにおける左端部から中央部分付近に亘って鍵盤ケース１の長手方向に沿って設けられた直線溝５ａと、この直線溝５ａに連続して中央部分付近から斜め下方に傾斜して設けられた傾斜溝５ｂとを有している。この場合、第１ガイド溝部５の直線溝５ａは、図４に示すように、水平な状態の鍵盤ケース１の背面１ａにおける上辺側の高い位置に設けられている。傾斜溝５ｂは、鍵盤ケース１の背面１ａにおける中央部分側に位置する直線溝５ａの右端部から鍵盤ケース１の背面１ａにおける高さ方向（図４では上下方向）の中間位置に向けて右下がりに傾斜している。
【００２０】
第２ガイド溝部６は、図４に示すように、鍵盤ケース１の背面１ａにおける右端部から中央部分付近に亘って鍵盤ケース１の長手方向に沿って設けられた直線溝６ａと、この直線溝６ａに連続して中央部分付近から斜め上方に傾斜して設けられた傾斜溝６ｂとを有している。この場合、第２ガイド溝部６の直線溝６ａは、図４に示すように、水平な状態の鍵盤ケース１の背面１ａにおける下辺側の低い位置に第１、第２連結部１１、１２の高低差Ｓ２だけ離れて設けられている。傾斜溝６ｂは、鍵盤ケース１の背面１ａにおける中央部分側に位置する直線溝６ａの左端部から鍵盤ケース１の背面１ａにおける高さ方向（図４では上下方向）の中間位置に向けて左上がりに傾斜している。
【００２１】
すなわち、第１、第２ガイド溝部５、６は、図４および図７に示すように、その各直線溝５ａ、６ａの高低差Ｓ１が、第１、第２スタンド部材２、３の第１、第２連結部１１、１２の高低差Ｓ２と同じ（Ｓ１＝Ｓ２）に設定されている。これにより、鍵盤ケース１は、第１、第２スタンド部材２、３が接離方向に移動するときに、第１、第２スタンド部材２、３の第１、第２連結部１１、１２を第１、第２ガイド溝部５、６の各直線溝５ａ、６ａでガイドすることにより、水平な状態を維持するように構成されている。
【００２２】
また、第１、第２ガイド溝部５、６は、図４に示すように、その各傾斜溝５ｂ、６ｂが互いに平行な状態で傾斜し、且つ鍵盤ケース１の背面１ａにおける中央部分の中心側に位置する各傾斜溝５ｂ、６ｂの各端部が、同じ高さで、鍵盤ケース１の高さ方向（図４では上下方向）の中間部に位置し、この状態で各端部間の距離Ｓ３が第１、第２スタンド部材２、３の第１、第２連結部１１、１２の高低差Ｓ２と同じ長さ（Ｓ３＝Ｓ２）に設定されている。
【００２３】
これにより、第１、第２スタンド部材２、３の各連結部１１、１２は、第１、第２ガイド溝部５、６の各直線溝５ａ、６ａにガイドされて互いに接近して各傾斜溝５ｂ、６ｂに沿ってガイドされるときに、図５および図６に示すように、第１スタンド部材２の第１連結部１１が鍵盤ケース１の左端部側を徐々に押し上げる方向に鍵盤ケース１を回転させると共に、第２スタンド部材３の第２連結部１２が鍵盤ケース１の右端部側を徐々に押し下げる方向に鍵盤ケース１を回転させ、これにより鍵盤ケース１を左上がりに傾斜させながら回転させて、図７に示すように、鍵盤ケース１を起立させるように構成されている。
【００２４】
この場合、第１、第２ガイド溝部５、６は、図８および図９に示すように、それぞれ鍵盤ケース１の背面１ａに設けられたガイド孔１３と、鍵盤ケース１の背面１ａにおける内面にガイド孔１３と対応して設けられたガイドレール部１４とを備えている。すなわち、第２ガイド溝部６のガイド孔１３は、図９に示すように、鍵盤ケース１の背面１ａにおける下辺側に位置して右端部側（図９では左端部側）から中央部分（図９では右側）に亘って設けられている。
【００２５】
ガイドレール部１４は、図８および図９に示すように、アルミ合金などの金属からなる帯状の板部材であり、その上下における中間部分にガイド孔１３と対応するガイド溝１４ａが設けられ、その外周にフランジ部１４ｂが設けられ、このフランジ部１４ｂが鍵盤ケース１の背面１ａにおける内面にビス１４ｃによって取り付けられている。この場合、ガイド溝１４ａは、ガイド孔１３の溝幅よりも少し広く形成されている。なお、第１ガイド溝部５は、鍵盤ケース１の背面１ａにおける上下の設置位置が異なる以外は、第２ガイド溝部６と同じ構成になっている。
【００２６】
一方、第１、第２スタンド部材２、３の第１、第２連結部１１、１２は、図８および図９に示すように、それぞれ支持アーム部８の上端部に取り付けられた固定軸１５と、この固定軸１５に回転自在に取り付けられたローラ１６とを備えている。すなわち、第２スタンド部材３における第２連結部１２の固定軸１５は、その一端部（図８では左端部）が支持アーム部８に埋め込まれたナット１７と締め付けナット１８とによって支持アーム部８に取り付けられ、その他端部側（図８では右端部側）が第１、第２ガイド溝部５、６のガイド孔１３を通してガイドレール部１４のガイド溝１４ａ内に挿入されている。
【００２７】
この場合、固定軸１５は、ガイドレール部１４のガイド溝１４ａ内に挿入された他端部（図８では右端部）がガイド溝１４ａから突出し、この突出した部分に抜け止め用のナット１９が取り付けられている。また、この固定軸１５における支持アーム部８と鍵盤ケース１の背面１ａとの間、およびガイドレール部１４と抜け止め用のナット１９との間には、それぞれナイロンなどの合成樹脂製のワッシャ２０ａが設けられている。
【００２８】
また、この固定軸１５には、図８および図９に示すように、支持アーム部８と鍵盤ケース１の背面１ａとの間にワッシャ２０ａを位置規制するＣリングなどの位置規制リング２０ｂが取り付けられている。一方、ローラ１６は、図８および図９に示すように、ガイドレール部１４のガイド溝１４ａ内に挿入された箇所の固定軸１５に回転自在に取り付けられてガイド溝１４ａ内を転動するように構成されている。
【００２９】
これにより、第２スタンド部材３の第２連結部１２は、第２ガイド溝部６にガイドされるときに、支持アーム部８に取り付けられた固定軸１５が鍵盤ケース１の背面１ａのガイド孔１３およびガイドレール部１４のガイド溝１４ａに沿って移動すると共に、ローラ１６がガイド溝１４ａ内を転動する状態で、鍵盤ケース１の背面１ａに対して支持アーム部８を連結するように構成されている。なお、第１スタンド部材２の第１連結部１１も、その設置高さが異なる以外は、第２スタンド部材３の第２連結部１２と同じ構成になっている。
【００３０】
ところで、この鍵盤ケース１は、図４に示すように、一対のスタンド部材２、３が互いに離れて鍵盤ケース１の両側を支持したときに、鍵盤ケース１に対し第１、第２スタンド部材２、３を位置規制する第１の位置規制部材２１と、図７に示すように、第１、第２スタンド部材２、３が互いに接近して各連結部１１、１２が鍵盤ケース１の中央部分に移動した状態で、鍵盤ケース１が傾斜して起立したときに、鍵盤ケース１に対し第１、第２スタンド部材２、３を位置規制する第２の位置規制部材２２とを備えている。
【００３１】
これら第１、第２の位置規制部材２１、２２は、図１０（ａ）および図１０（ｂ）に示すように、それぞれ鍵盤ケース１の背面１ａに設けられた貫通孔１ｄに出没方向（図１０では上下方向）に移動可能に挿入された支持ピン２３と、この支持ピン２３を鍵盤ケース１の背面１ａから外部に向けて押し出す方向（図１０では上方）に付勢するコイルばね２４とを備えている。
【００３２】
この場合、支持ピン２３は、鍵盤ケース１内に位置する内端部（図１０では下端部）に抜け止め用の鍔部２３ａが設けられ、鍵盤ケース１の外部に位置する外端部（図１０では上端部）に頭部２３ｂが設けられている。また、コイルばね２４は、支持ピン２３の外周に配置された状態で、支持ピン２３の頭部２３ｂと鍵盤ケース１の背面１ａとの間に配置されている。
【００３３】
これにより、第１の位置規制部材２１は、図４に示すように、鍵盤ケース１の背面１ａにおける両側にそれぞれ配置され、第１、第２スタンド部材２、３が互いに最も離れたときに、図１０（ａ）に示すように、その支持ピン２３の頭部２３ｂに各支持アーム部８の傾斜部８ａにおける各対向縁が当接して、図４に示すように、一対のスタンド部材２、３が互いに接近する方向に移動するのを規制し、コイルばね２４のばね力に抗して支持ピン２３が押し込まれたときに、図１０（ｂ）に示すように、第１、第２スタンド部材２、３の規制を解除するように構成されている。
【００３４】
また、第２の位置規制部材２２は、図７に示すように、鍵盤ケース１の背面１ａにおける中央部分付近にそれぞれ配置され、第１、第２スタンド部材２、３が互いに最も接近したときに、支持ピン２３の頭部２３ｂに各支持アーム部８の傾斜部８ａにおける各対向縁が当接して、第１、第２スタンド部材２、３が互いに離れる方向に移動するのを規制し、コイルばね２４のばね力に抗して支持ピン２３が押し込まれたときに、第１、第２スタンド部材２、３の規制を解除するように構成されている。
【００３５】
次に、この鍵盤楽器の作用について説明する。
まず、この鍵盤楽器を使用する場合には、図４に示すように、第１、第２スタンド部材２、３を互いに離れる方向に移動させる。このときには、第１、第２スタンド部材２、３の各台座部７にそれぞれ設けられた複数のキャスタ１０が床上を転動しながら、第１、第２スタンド部材２、３の各支持アーム部８に設けられた第１、第２連結部１１、１２が、鍵盤ケース１の背面１ａに設けられた第１、第２ガイド溝部５、６に沿ってガイドされて第１、第２ガイド溝部５、６の両端部に円滑に移動する。これにより、図１および図４に示すように、鍵盤ケース１が第１、第２スタンド部材２、３によって水平に支持される。
【００３６】
そして、各支持アーム部８の各傾斜部８ａが鍵盤ケース１における背面１ａの両側に設けられた第１の位置規制部材２１を乗り越えると、図１０（ａ）に示すように、第１の位置規制部材２１の支持ピン２３に、各支持アーム部８の各傾斜部８ａにおける各対向縁が当接して、図４に示すように、第１、第２スタンド部材２、３が互いに接近する方向に移動するのを規制する。これにより、第１、第２スタンド部材２、３が勝手に互いに接近する方向に移動するのを防ぐことができるので、安定した状態で鍵盤ケース１の両側を支持することができ、これにより安全に鍵盤ケース１の鍵４を押鍵操作して良好に演奏をすることができる。
【００３７】
また、この鍵盤楽器を使用しないときには、図５および図６に示すように、第１、第２スタンド部材２、３を互いに接近させて第１、第２連結部１１、１２を鍵盤ケース１の中央部分に移動させる。このときには、図５および図６に示すように、第１、第２スタンド部材２、３の第１、第２連結部１１、１２が第１、第２ガイド溝部５、６の各直線溝５ａ、６ａから各傾斜溝５ｂ、６ｂ内にそれぞれ移動し、この移動した第１、第２連結部１１、１２が各傾斜溝５ｂ、６ｂに沿って移動するので、鍵盤ケース１を徐々に左上がりに傾斜させながらほぼ垂直な状態に起立させることができる。
【００３８】
すなわち、第１、第２スタンド部材２、３は、第１、第２連結部１１、１２が第１、第２ガイド溝部５、６の各直線溝５ａ、６ａにガイドされて互いに接近して各傾斜溝５ｂ、６ｂに沿って移動するときに、図５および図６に示すように、第１スタンド部材２の第１連結部１１が鍵盤ケース１の左端部側を徐々に押し上げる方向に鍵盤ケース１を回転させるると共に、第２スタンド部材３の第２連結部１２が鍵盤ケース１の右端部側を徐々に押し下げる方向に鍵盤ケース１を回転させる。これにより、鍵盤ケース１が左上がりに傾斜しながら回転し、図７に示すように、垂直な状態に起立する。
【００３９】
そして、各支持アーム部８の各傾斜部８ａが鍵盤ケース１における背面１ａの両側に設けられた第２の位置規制部材２２を乗り越えると、図１０（ａ）に示したように、第２の位置規制部材２２の支持ピン２３に、各支持アーム部８の各傾斜部８ａにおける各対向縁が当接して、第１、第２スタンド部材２、３が互いに離れる方向に移動するのを規制すると共に、鍵盤ケース１の回転動作を規制する。これにより、第１、第２スタンド部材２、３が勝手に互いに離れる方向に移動するのを防ぐことができると共に、鍵盤ケース１が勝手に回転するのを防ぐことができるので、安定した状態で安全に鍵盤ケース１を垂直な状態に起立させることができる。
【００４０】
このように、この鍵盤楽器によれば、複数の鍵４が配列された鍵盤ケース１の左端部側に連結される第１連結部１１を有して鍵盤ケース１を支持する第１スタンド部材２と、鍵盤ケース１の右端部側に連結される第２連結部１２を有して鍵盤ケース１を支持する第２スタンド部材３と、鍵盤ケース１に設けられて第１スタンド部材２の第１連結部１１を鍵盤ケース１の左端部から中央部分に向けてガイドして鍵盤ケース１の左端部側を押し上げる方向に鍵盤ケース１を回転させる第１ガイド溝部５と、鍵盤ケース１に設けられて第２スタンド部材３の第２連結部１２を鍵盤ケース１の右端部から中央部分に向けてガイドして鍵盤ケース１の右端部側を押し下げる方向に鍵盤ケース１を回転させる第２ガイド溝部６とを備えているので、使用するときに第１、第２スタンド部材２、３で鍵盤ケース１を安定した状態で支持することができ、また使用しないときに鍵盤ケース１を起立させて楽器全体をコンパクトにすることができる。
【００４１】
すなわち、この鍵盤楽器によれば、第１スタンド部材２と第２スタンド部材３とを互いに離れる方向に移動させると、図４に示すように、第１スタンド部材２の第１連結部１１が第１ガイド溝部５にガイドされて鍵盤ケース１の左端側に移動し、第２スタンド部材３の第２連結部１２が第２ガイド溝部６にガイドされて鍵盤ケース１の右端側に移動し、この状態で第１、第２スタンド部材２、３で鍵盤ケース１の両側を支持することができるので、鍵盤ケース１を安定した状態で支持することができ、これにより良好に演奏をすることができる。
【００４２】
また、第１スタンド部材２と第２スタンド部材３とを互いに接近する方向に移動させると、図５および図６に示すように、第１スタンド部材２の第１連結部１１が第１ガイド溝部５にガイドされて鍵盤ケース１の中央部分に移動し、鍵盤ケース１の左端側を押し上げる方向に鍵盤ケース１を回転させると共に、第２スタンド部材３の第２連結部１２が第２ガイド溝部６にガイドされて鍵盤ケース１の中央部分に移動し、鍵盤ケース１の右端側を押し下げる方向に鍵盤ケース１を回転させるので、図７に示すように、鍵盤ケース１を上下方向に傾けながら回転させて起立させることができる。これにより、使用しないときに楽器全体を十分にコンパクトにすることができ、楽器を設置するための設置スペースの大幅な省スペース化を図ることができる。
【００４３】
この場合、第１、第２ガイド溝部５、６は、鍵盤ケース１の背面１ａのみに設けられていることにより、鍵盤ケース１を前面１ｂ側から見たときに、鍵盤ケース１によって第１、第２ガイド溝部５、６が隠れて見えないので、外観的およびデザイン的に好ましいものを得ることができる。このように第１、第２ガイド溝部５、６を鍵盤ケース１の背面１ａのみに設けても、第１、第２スタンド部材２、３がそれぞれ台座部７と支持アーム部８とを備え、この支持アーム部８に取り付けられた第１、第２連結部１１、１２が鍵盤ケース１の背面１ａにおける第１、第２ガイド溝部５、６に連結されていることにより、第１、第２スタンド部材２、３で鍵盤ケース１を安定した状態で支持することができる。
【００４４】
すなわち、第１、第２スタンド部材２、３の各台座部７は、鍵盤ケース１の背面１ａ側に対応する後脚部７ａと、鍵盤ケース１の前面１ｂ側に対応する前脚部７ｂと、後脚部７ａと前脚部７ｂとを連結する連結脚部７ｃとからなり、全体が上方から見てほぼエ形状に形成されているので、この台座部７に設けられた支持アーム部８の第１、第２連結部１１、１２が鍵盤ケース１の背面１ａにおける第１、第２ガイド溝部５、６に連結されて、鍵盤ケース１の背面１ａ側のみを支持する構成であっても、第１、第２スタンド部材２、３の各台座部７によって鍵盤ケース１を安定した状態で支持することができる。
【００４５】
また、第１、第２ガイド溝部５、６は、それぞれ鍵盤ケース１の背面１ａにその長手方向に沿って設けられた各ガイド孔１３と、鍵盤ケース１内に各ガイド孔１３と対応して設けられたガイド溝１４ａを有するガイドレール部１４とを備えており、第１、第２スタンド部材２、３の第１、第２連結部１１、１２は、支持アーム部８の上端部に固定されて第１、第２ガイド溝部５、６の各ガイド孔１３を通してガイドレール部１４のガイド溝１４ａ内に挿入する固定軸１５と、この固定軸１５に回転自在に取り付けられてガイドレール部１４のガイド溝１４ａ内を転動するローラ１６とを備えているので、第１、第２連結部１１、１２が鍵盤ケース１に対し上下方向および前後方向にガタツクことなく、第１、第２連結部１１、１２を第１、第２ガイド溝部５、６に沿って円滑にガイドすることができる。
【００４６】
この場合、第１スタンド部材２の第１連結部１１は、その高さが第２スタンド部材３の第２連結部１２よりも、所定間隔Ｓ２だけ高い位置に配置されており、第１ガイド溝部５は、鍵盤ケース１の背面１ａにおける左端部から中央部分付近に亘って鍵盤ケース１の上辺側に設けられた直線溝５ａと、この直線溝５ａに連続して中央部分付近から斜め下方に傾斜して設けられた傾斜溝５ｂとを有しており、第２ガイド溝部６は、鍵盤ケース１の背面１ａにおける右端部から中央部分付近に亘って鍵盤ケース１の下辺側に第１、第２連結部１１、１２の高低差Ｓ２だけ第１ガイド溝部５の直線溝５ａから離れて設けられた直線溝６ａと、この直線溝６ａに連続して中央部分付近から斜め上方に傾斜して設けられた傾斜溝６ｂとを有していることにより、第１、第２スタンド部材２、３で鍵盤ケース１を水平に支持することができ、また第１、第２スタンド部材２、３を互いに接近させるだけで、簡単に且つ確実に鍵盤ケース１を傾けながら起立させることができる。
【００４７】
すなわち、第１、第２スタンド部材２、３を互いに離れる方向に移動させると、第１、第２スタンド部材２、３の各支持アーム部８に設けられた第１、第２連結部１１、１２が、鍵盤ケース１の背面１ａに設けられた第１、第２ガイド溝部５、６の直線溝５ａ、６ａにガイドされるので、第１、第２スタンド部材２、３の第１、第２連結部１１、１２における高さが異なっていても、第１、第２ガイド溝部５、６の各直線溝５ａ、６ａの高低差によって第１、第２連結部１１、１２の高低差を調整することができ、これにより第１、第２スタンド部材２、３によって鍵盤ケース１を水平な状態で確実に且つ良好に支持することができる。
【００４８】
また、第１、第２スタンド部材２、３を互いに接近する方向に移動させるときに、第１、第２スタンド部材２、３の第１、第２連結部１１、１２が鍵盤ケース１の背面１ａに設けられた第１、第２ガイド溝部５、６の直線溝５ａ、６ａにガイドされるので、第１、第２スタンド部材２、３の第１、第２連結部１１、１２における高さが異なっていても、鍵盤ケース１を水平に保ちながら、第１、第２スタンド部材２、３を互いに接近する方向に移動させることができる。
【００４９】
そして、第１、第２スタンド部材２、３の第１、第２連結部１１、１２が鍵盤ケース１の中央部分に移動したときには、第１、第２スタンド部材２、３の第１、第２連結部１１、１２が第１、第２ガイド溝部５、６の各直線溝５ａ、６ａから各傾斜溝５ｂ、６ｂに移動し、この各傾斜溝５ｂ、６ｂに沿って移動するので、第１ガイド溝部５の傾斜部５ｂによって第１スタンド部材２の第１連結部１１が、鍵盤ケース１の左端部側を徐々に押し上げる方向に鍵盤ケース１を回転させ、第２ガイド溝部６の傾斜部６ｂによって第２スタンド部材３の第２連結部１２が、鍵盤ケース１の右端部側を徐々に押し下げる方向に鍵盤ケース１を回転させる。これにより、鍵盤ケース１を徐々に左上がりに傾斜させながら回転させ、図７に示すように、鍵盤ケース１を垂直な状態になるように起立させることができる。
【００５０】
また、第１ガイド溝部５の傾斜溝５ｂと第２ガイド溝部６の傾斜溝６ｂとの互いに接近する端部間の長さＳ３が、第１スタンド部材２の第１連結部１１と第２スタンド部材３の第２連結部１２との高低差Ｓ２とほぼ同じ長さ（Ｓ２＝Ｓ３）に設定されていることにより、第１、第２スタンド部材２、３の第１、第２連結部１１、１２が第１、第２ガイド溝部５、６の各直線溝５ａ、６ａから各傾斜溝５ｂ、６ｂに移動し、この各傾斜溝５ｂ、６ｂに沿って移動するときに、鍵盤ケース１を円滑に且つ確実に左上がりに傾斜させながら回転させて、図７に示すように、鍵盤ケース１を徐々に垂直な状態になるように起立させることができる。
【００５１】
さらに、この鍵盤楽器によれば、第１、第２スタンド部材２、３が互いに離間して鍵盤ケース１を水平な状態に支持したときに、鍵盤ケース１に対し第１、第２スタンド部材２、３を位置規制する第１の位置規制部材２１を備えているので、第１、第２スタンド部材２、３が第１の位置規制部材２１によって互いに接近する方向に移動するのを規制することができ、これにより第１、第２スタンド部材２、３が勝手に互いに接近する方向に移動することがないので、第１、第２スタンド部材２、３によって鍵盤ケース１の両側を安定した状態で確実に且つ良好に支持することができ、これにより鍵４を押鍵操作して良好に演奏をすることができる。
【００５２】
また、この鍵盤楽器によれば、第１、第２スタンド部材２、３が互いに接近して第１、第２連結部１１、１２によって鍵盤ケース１がほぼ垂直に起立したときに、鍵盤ケース１に対し第１、第２スタンド部材２、３を位置規制する第２の位置規制部材２２を備えているので、この第２の位置規制部材２２によって第１、第２スタンド部材２、３が互いに離れる方向に移動するのを規制することができると共に、鍵盤ケース１が傾くのを規制することができる。これにより、第１、第２スタンド部材２、３が勝手に互いに離れる方向に移動するのを防ぐことができると共に、鍵盤ケース１が勝手に回転するのを防ぐことができるので、安定した状態で安全に鍵盤ケース１を垂直な状態に起立させておくことができる。
【００５３】
なお、上記実施形態では、第１、第２の位置規制部材２１、２２が、それぞれ鍵盤ケース１の背面１ａに出没可能に設けられた支持ピン２３と、この支持ピン２３を鍵盤ケース１の背面１ａから外部に向けて押し出す方向に付勢するコイルばね２４とを備えた構成である場合について述べたが、これに限らず、例えば図１１および図１２に示すように、第１、第２位置規制部材を構成しても良い。
【００５４】
すなわち、第１の位置規制部材として、図１１に示すように、第１、第２ガイド溝部５、６の各直線溝５ａ、６ａにおける鍵盤ケース１の両側に位置する各端部に、第１、第２連結部１１、１２の各固定軸１５を係脱可能に係止する第１係止溝部２５を上方（図１２では左側）に向けてそれぞれ設け、また第２の位置規制部材として、図１２に示すように、第１、第２ガイド溝部５、６における各傾斜溝５ｂ、６ｂの各先端部に、第１、第２連結部１１、１２の各固定軸１５を係脱可能に係止する第２係止溝部２６を下方（図１１では右側）に向けてそれぞれ設けた構成にすれば良い。
【００５５】
また、上記実施形態では、第１、第２ガイド溝部５、６が高さの異なる直線溝５ａ、６ａと、互いに平行する傾斜溝５ｂ、６ｂとで構成されている場合について述べたが、これに限らず、第１ガイド溝部を中央部分に向けて緩やかに湾曲しながら降下する曲線溝に形成し、第２ガイド溝部を中央部分に向けて緩やかに湾曲しながら上昇する曲線溝に形成した構成でも良く、また第１、第２ガイド溝部を鍵盤ケース１の背面１ａにおける対角線上で一直線に並ぶ傾斜溝に形成しても良い。
【００５６】
さらに、上記実施形態では、鍵盤ケース１の背面１ａ側のみを第１、第２スタンド部材２、３で支持するように構成した場合について述べたが、これに限らず、鍵盤ケース１の背面１ａと前面１ｂとの両面側を第１、第２スタンド部材２、３で支持するように構成しても良い。この場合には、鍵盤ケース１の背面１ａと前面１ｂとにそれぞれ第１、第２ガイド溝部５、６を設けると共に、第１、第２スタンド部材２、３の各台座部７の前後部上にそれぞれ支持アーム部８を設け、この前後の支持アーム部８にそれぞれ第１、第２連結部１１、１２を設けた構成にすれば良い。
【図面の簡単な説明】
【００５７】
【図１】この発明を適用した鍵盤楽器の一実施形態を示した正面図である。
【図２】図１の鍵盤楽器の平面図である。
【図３】図１の鍵盤楽器の側面図である。
【図４】図１の鍵盤楽器の背面図である。
【図５】図４の状態の鍵盤楽器において第１、第２スタンド部材を互いに接近する方向に移動させて鍵盤ケースを少し傾けた状態を示した背面図である。
【図６】図５の状態の鍵盤楽器において第１、第２スタンド部材を更に互いに接近する方向に移動させて鍵盤ケースを更に傾けた状態を示した背面図である。
【図７】図６の状態の鍵盤楽器において第１、第２スタンド部材を更に互いに接近する方向に移動させて鍵盤ケースを起立させた状態を示した背面図である。
【図８】図４のＡ−Ａ矢視における要部の拡大断面図である。
【図９】図８の要部を分解して示した斜視図である。
【図１０】図４および図７の第１、第２の位置規制部材を示し、（ａ）は支持アーム部を規制した状態を示した拡大断面図、（ｂ）は支持アーム部に対する規制を解除した状態を示した拡大断面図である。
【図１１】図４に示した状態の鍵盤楽器において第１、第２の位置規制部材の変形例を示した図である。
【図１２】図７に示した状態の鍵盤楽器において図１１の第１、第２の位置規制部材を示した図である。
【符号の説明】
【００５８】
１  鍵盤ケース
１ａ  背面
２、３  第１、第２スタンド部材
４  鍵
５、６  第１、第２ガイド溝部
５ａ、６ａ  直線溝
５ｂ、６ｂ  傾斜溝
７  台座部
８  支持アーム部
１０  キャスタ
１１、１２  第１、第２連結部
１３  ガイド孔
１４  ガイドレール部
１５  固定軸
１６  ローラ
２１、２５  第１の位置規制部材
２２、２６  第２の位置規制部材
【図１】
2008242115.tif 000003
【図２】
2008242115.tif 000004
【図３】
2008242115.tif 000005
【図４】
2008242115.tif 000006
【図５】
2008242115.tif 000007
【図６】
2008242115.tif 000008
【図７】
2008242115.tif 000009
【図８】
2008242115.tif 000010
【図９】
2008242115.tif 000011
【図１０】
2008242115.tif 000012
【図１１】
2008242115.tif 000013
【図１２】
2008242115.tif 000014